【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
電気アドレス型空間光変調器（ＥＡＳＬＭ）と、
前記ＥＡＳＬＭを照射するように構成された書き込み光と、
光アドレス型空間光変調器（ＯＡＳＬＭ）と、
前記ＯＡＳＬＭを照射するように構成された読み出し光と、
コントローラとを含み、
該コントローラは、
前記書き込み光で前記ＥＡＳＬＭのアドレスを指定して、陽のホログラフィック・サブ像及び陰のホログラフィック・サブ像を共に前記ＯＡＳＬＭに伝送し、
前記陽のホログラフィック・サブ像の伝送と前記陰のホログラフィック・サブ像の伝送との間に、前記ＯＡＳＬＭにブランキングパルスを適用し、
作動電圧で前記ＯＡＳＬＭのアドレスを指定するように構成され、
前記作動電圧は、前記ＯＡＳＬＭの異なるセグメントに印加され、前記異なるセグメントのそれぞれが、前記陽のホログラフィック・サブ像及び前記陰のホログラフィック・サブ像を受け、
前記ＯＡＳＬＭに前記ブランキングパルスを適用しながら、前記ＯＡＳＬＭを前記読み出し光によって照射して、前記陽のホログラフィック・サブ像及び前記陰のホログラフィック・サブ像からなるホログラフィック像を生成する、ホログラフィック画像処理システム。
【請求項２】
前記異なるセグメントは、前記作動電圧が前記セグメントのいずれか一つに独立的に印加されるように配置され、前記異なるセグメントは、前記ホログラフィック像の前記陽のホログラフィック・サブ像及び前記陰のホログラフィック・サブ像を別個に表示するように構成されている、請求項１に記載のシステム。
【請求項３】
前記コントローラは、さらに、
前記陽のホログラフィック・サブ像及び前記陰のホログラフィック・サブ像を順次、前記ＥＡＳＬＭから前記ＯＡＳＬＭの前記異なるセグメントに向けて走査し、
前記陽のホログラフィック・サブ像及び前記陰のサブ像の一方又は両方から成る単一のホログラフィック像を作り上げるように構成されている、請求項２に記載のシステム。
【請求項４】
前記ＥＡＳＬＭに前記陽のホログラフィック・サブ像が読み込まれている間に、前記ＯＡＳＬＭに前記ブランキングパルスを適用する、請求項１に記載のシステム。
【請求項５】
前記陰のホログラフィック・サブ像が前記ＥＡＳＬＭに読み込まれているときに、前記読み出し光が前記ＯＡＳＬＭを照射する、請求項４に記載のシステム。
【請求項６】
ホログラフィック画像処理システムのアドレス指定方法であって、
陽のホログラフィック・サブ像及び陰のホログラフィック・サブ像の両方の連続を形成すべく電気アドレス型空間光変調器（ＥＡＳＬＭ）のアドレスを指定すること、
前記陽のホログラフィック・サブ像及び陰のホログラフィック・サブ像を光アドレス型空間光変調器（ＯＡＳＬＭ）に伝送すること、
前記陽のホログラフィック・サブ像から成る第１の回折パターンと前記陰のホログラフィック・サブ像から成る第２の回折パターンを形成すべく、前記ＯＡＳＬＭに前記陽のホログラフィック・サブ像及び前記陰のホログラフィック・サブ像を書き込むこと、
前記ＯＡＳＬＭへの前記陽のホログラフィック・サブ像の書き込みと、前記陰のホログラフィック・サブ像の書き込みとの間に、前記ＯＡＳＬＭにブランキングパルスを適用すること、及び、
前記第１の回折パターン及び前記第２の回折パターンの両方の少なくとも一部からなるホログラフィック像を生成すべく、前記陽のホログラフィック・サブ像及び前記陰のホログラフィック・サブ像を前記ＯＡＳＬＭに書き込みながら、前記ＯＡＳＬＭを前記読み出し光で照射すること
を含む、アドレス指定方法。
【請求項７】
前記陽のホログラフィック・サブ像と前記陰のホログラフィック・サブ像とを交互に連続して、前記ＯＡＳＬＭに書き込む、請求項６に記載の方法。
【請求項８】
前記第１の回折パターンを、前記第２の回折パターンの前に形成し、前記第１の回折パターンの形成と前記第２の回折パターンとの形成の間に、前記ＯＡＳＬＭにブランキングパルスを適用する、請求項６に記載の方法。
【請求項９】
前記ＯＡＳＬＭは、アレイの形に配列された、前記陽のホログラフィック・サブ像及び前記陰のホログラフィック・サブ像に対応する複数のセグメントから成り、前記ブランキングパルスを一度に１セグメントずつ、前記複数のセグメントに適用する、請求項６に記載の方法。
【請求項１０】
前記ＯＡＳＬＭを、前記陽のホログラフィック・サブ像及び前記陰のホログラフィック・サブ像が前記ＯＡＳＬＭに伝送される間に、前記読み出し光で連続的に照射する、請求項６に記載の方法。
【請求項１１】
前記陽のホログラフィック・サブ像及び前記陰のホログラフィック・サブ像を、前記ＯＡＳＬＭの個々の前記セグメントに像対として書き込み、前記方法は、さらに、前記ＯＡＳＬＭの個々の前記セグメントに書き込まれる前記像対毎に単一のブランキングパルスを適用することを含む、請求項７に記載の方法。
【請求項１２】
陽のホログラフィック・サブ像及び陰のホログラフィック・サブ像の両方の連続を形成すべく、電気アドレス型空間光変調器（ＥＡＳＬＭ）のアドレスを指定する手段であって、前記陽のホログラフィック・サブ像及び前記陰のホログラフィック・サブ像が前記ＥＡＳＬＭの直流平衡を提供するアドレス指定手段と、
前記陽のホログラフィック・サブ像及び前記陰のホログラフィック・サブ像を光アドレス型空間光変調器（ＯＡＳＬＭ）に伝送するための手段と、
前記陽のホログラフィック・サブ像及び前記陰のホログラフィック・サブ像を、前記ＯＡＳＬＭの複数のセグメントに書き込む手段と、
前記陽のホログラフィック・サブ像の書き込みと前記陰のホログラフィック・サブ像の書き込みとの間に、前記複数のセグメントのそれぞれに、別個のブランキングパルスを適用する手段と、
前記陽のホログラフィック・サブ像及び前記陰のホログラフィック・サブ像から成るホログラフィック像を生成するための手段と
を含む画像処理装置。
【請求項１３】
一連の前記陰のホログラフィック・サブ像とは別個に、一連の前記陽のホログラフィック・サブ像が前記ＯＡＳＬＭに書き込まれる、請求項１２に記載の画像処理装置。
【請求項１４】
前記陽のホログラフィック・サブ像及び前記陰のホログラフィック・サブ像の両方について、前記ＯＡＳＬＭに前記ブランキングパルスを適用する、請求項１３に記載の画像処理装置。
【請求項１５】
前記ＯＡＳＬＭに、前記一連の陽のホログラフィック・サブ像又は前記一連の陰のホログラフィック・サブ像を書き込む前に、前記ブランキングパルスを適用する、請求項１４に記載の画像処理装置。
【請求項１６】
前記複数のセグメントはアレイの形に配列され、前記ブランキングパルスは、前記複数のセグメントに同時に適用される、請求項１４に記載の画像処理装置。
【請求項１７】
さらに、
前記一連の陽のホログラフィック・サブ像及び前記一連の陰のホログラフィック・サブ像を前記ＯＡＳＬＭに書き込んだ後、前記ＯＡＳＬＭを読み出し光で照射し、
前記一連の陽のホログラフィック・サブ像及び前記一連の陰のホログラフィック・サブ像が書き込まれている間は、前記読み出し光の使用を停止する、請求項１６に記載の画像処理装置。
【請求項１８】
前記ＯＡＳＬＭは、前記ホログラフィック像を生成するために前記読み出し光で２度照射される、請求項１７に記載の画像処理装置。
【請求項１９】
命令を記憶している有形のコンピュータ可読媒体であって、少なくとも１台の装置が、前記命令を実行することによって、
陽のホログラフィック・サブ像及び陰のホログラフィック・サブ像の両方の連続を形成すべく、電気アドレス型空間光変調器（ＥＡＳＬＭ）のアドレスを指定し、
前記陽のホログラフィック・サブ像及び前記陰のホログラフィック・サブ像を光アドレス型空間光変調器（ＯＡＳＬＭ）に伝送し、
前記陽のホログラフィック・サブ像から成る第１の回折パターンと前記陰のホログラフィック・サブ像から成る第２の回折パターンを形成すべく、前記ＯＡＳＬＭに前記陽のホログラフィック・サブ像及び前記陰のホログラフィック・サブ像を書き込み、
前記ＯＡＳＬＭへの前記陽のホログラフィック・サブ像の書き込みと、前記陰のホログラフィック・サブ像の書き込みとの間に、前記ＯＡＳＬＭにブランキングパルスを適用し、
前記第１の回折パターン及び前記第２の回折パターンの両方の少なくとも一部から成るホログラフィック像を生成すべく、前記ＯＡＳＬＭを読み取り光で照射し、
前記陽のホログラフィック・サブ像及び前記陰のホログラフィック・サブ像が前記ＥＡＳＬＭの直流平衡を提供する、コンピュータ可読媒体。
【請求項２０】
前記少なくとも１台の装置が、前記命令を実行することによって、一連の前記陰のホログラフィック・サブ像とは別個に、一連の前記陽のホログラフィック・サブ像を前記ＯＡＳＬＭに書き込む、請求項１９に記載の前記コンピュータ可読媒体。
【請求項２１】
前記ＯＡＳＬＭは、アレイの形に配列された複数のセグメントから成り、前記少なくとも１台の装置が、前記命令を実行することによって、前記一連の陽のホログラフィック・サブ像及び前記一連の陰のホログラフィック・サブ像を前記ＯＡＳＬＭに書き込みながら、前記ブランキングパルスを一度に１セグメントずつ、前記複数のセグメントに適用する、請求項２０に記載の前記コンピュータ可読媒体。
【請求項２２】
前記少なくとも１台の装置が、前記命令を実行することによって、前記ＯＡＳＬＭに、前記陽のホログラフィック・サブ像又は前記陰のホログラフィック・サブ像を書き込む前に、前記ブランキングパルスを、適用する、請求項２１に記載のコンピュータ可読媒体。
【請求項２３】
前記少なくとも１台の装置が、前記命令を実行することによって、前記陽のホログラフィック・サブ像及び前記陰のホログラフィック・サブ像を共に前記ＯＡＳＬＭに書き込みながら、前記ＯＡＳＬＭを前記読み出し光で連続的に照射する、請求項２２に記載の前記コンピュータが読み取り可能な媒体。
【請求項２４】
さらに、前記陽のホログラフィック・サブ像及び前記陰のホログラフィック・サブ像を前記ＯＡＳＬＭに伝送しながら、前記ＯＡＳＬＭを読み出し光で連続的に照射する手段を含む、請求項１２に記載の画像処理装置。